(57)【要約】【課題】  現在の映像に対する前後関係が一目瞭然となり、検索性を向上した映像再生装置及び方法を提供する。【解決手段】  映像信号入力は、フィールドメモリ２２と縮小回路２６を介して合成回路２９に入力される。フィールドメモリ２２は、インデックス画面生成用と通常の映像が交互になっている映像信号入力から、通常の映像信号のみをフリーズするよう、メモリコントローラ２５により制御される。フィールドメモリ２２にて通常の映像信号のみをフリーズしたのち、縮小回路２６にて縮小処理を施し、合成回路２９に供給する。縮小回路２７では、インデックス画面生成のため、映像信号の縮小処理を施し、フィールドメモリ２３に供給する。【選択図】  図１３
2006129517.tif 000002
【特許請求の範囲】
【請求項１】
映像信号に対応するインデックス画面を生成するインデックス画面生成手段と、
上記インデックス画面生成手段で生成された上記インデックス画面と上記映像信号とを合成して同一画面上に表示するための制御を行うことを特徴とする映像制御手段と
を備えることを特徴とする映像再生装置。
【請求項２】
上記インデックス画面は、複数の映像信号を同時に映し出す画面であることを特徴とする請求項１記載の映像再生装置。
【請求項３】
上記インデックス画面生成手段は、インデックス画面生成のために映像信号を縮小する縮小部と、上記縮小部からの縮小映像信号を記憶するメモリ部と、上記メモリ部のアドレス制御を行うメモリ制御部とを備えることを特徴とする請求項１記載の映像再生装置。
【請求項４】
上記映像制御手段は、同一画面上の主画面とは異なるインデックス画面に映し出される複数の映像信号のいずれか一つが選択されると、選択された映像信号を主画面に映し出すことを特徴とする請求項１記載の映像再生装置。
【請求項５】
再生された映像信号に対応するインデックス画面を生成し、このインデックス画面と上記映像信号とを同一画面上に合成して表示することを特徴とする映像再生方法。
【請求項６】
入力された映像信号に対応するインデックス画面を生成すると共にこのインデックス画面を識別するための識別信号を生成するインデックス画面生成手段と、
上記インデックス画面生成手段で生成された上記識別信号を上記インデックス画面を含んだ上記映像信号に付加すると共に記録処理を施す記録処理手段と、
上記記録処理手段からの記録処理出力を記録媒体に書き込む書き込み手段と
を備えることを特徴とする映像記録装置。
【請求項７】
上記インデックス画面生成手段が生成する上記インデックス画面は、複数の映像信号を同時に映し出す画面であることを特徴とする請求項６記載の映像記録装置。
【請求項８】
インデックス画面を識別する識別信号が付加された映像信号を記録媒体から読み出す読み出し手段と、
上記読み出し手段が読み出した上記映像信号に再生処理を施す再生処理手段と、
上記再生処理手段からの再生処理出力中の上記識別信号を用いて上記インデックス画面の表示を制御する映像制御手段と
を備えることを特徴とする映像再生装置。
【請求項９】
上記インデックス画面は複数の映像信号を同時に映し出す画面であることを特徴とする請求項８記載の映像再生装置。
【請求項１０】
入力された映像信号に対応するインデックス画面を生成し、このインデックス画面を識別するための識別信号を上記インデックス画面を含んだ上記映像信号に付加すると共に記録処理を施して記録媒体に書き込み、この記録媒体から上記識別信号が付加された映像信号を読み出し、再生処理を施してから上記識別信号を用いて上記インデックス画面を表示することを特徴とする映像記録再生方法。
【発明の詳細な説明】
【技術分野】
【０００１】
本発明は複数の映像信号を同時に映し出すインデックス画面を表示するための映像再生装置、映像再生方法、映像記録装置及び映像記録再生方法に関する。
【背景技術】
【０００２】
近年、磁気テープ、光ディスク、ハードディスク等の記録媒体の大容量化に伴い、複数の映像信号や長時間の映像信号を記録再生するようになった。
【０００３】
例えばビデオテープレコーダ（ＶＴＲ）では磁気テープに同時に２番組を記録し、再生時に同一画面上に表示するタイプが知られている。
【０００４】
また、インデックス画面を形成するタイプでは、例えば光ディスク等の外部記録媒体に記録されている映像から、一定間隔で映像を読み出し、複数の映像信号を同時に表示するものがある。
【発明の開示】
【発明が解決しようとする課題】
【０００５】
ところで、近年、ケーブルテレビジョン（ＣＡＴＶ）放送の普及や、通信衛星を利用したディジタルＴＶ衛星放送が普及し、本格的な多チャンネル放送化が日増しに進み、２番組以上を同時に記録したいという要求が強まる傾向にある。
【０００６】
また、従来のインデックス画面生成は、複数の映像信号を読み出してからマルチ画面化を行っているので、一枚のインデックス画を作るのに時間がかかってしまっていた。
【０００７】
また、インデックス画面のみが表示され、通常の映像信号が表示されないため、現在見ている場面の前後関係が把握しにくいということもあった。
【０００８】
本発明は、上記実情に鑑みてなされたものであり、再生時のインデックス画面表示に費やす時間を短縮できる映像記録装置及び再生装置並びに映像記録再生装置の提供を目的とする。
【０００９】
さらにまた本発明は、上記実情に鑑みてなされたものであり、現在の映像に対する前後関係が一目瞭然となり、検索性を向上した映像再生装置及び方法の提供を目的とする。
【課題を解決するための手段】
【００１０】
本発明に係る映像再生装置は、上記課題を解決するために、インデックス画面生成手段が映像信号に対応するインデックス画面を生成し、映像制御手段がインデックス画面生成手段で生成されたインデックス画面と映像信号とを合成して同一画面上に表示するための制御を行う。
【００１１】
本発明に係る映像再生方法は、上記課題を解決するために、再生された映像信号に対応するインデックス画面を生成し、このインデックス画面と上記映像信号とを同一画面上に合成して表示する。
【００１２】
本発明に係る映像記録装置は、上記課題を解決するために、インデックス画面生成手段が入力された映像信号に対応するインデックス画面を生成すると共にこのインデックス画面を識別するための識別信号を生成し、記録処理手段がインデックス画面生成手段で生成された識別信号をインデックス画面を含んだ映像信号に付加すると共に記録処理を施し、書き込み手段が記録処理出力を記録媒体に書き込む。
【００１３】
本発明に係る映像再生装置は、上記課題を解決するために、読み出し手段がインデックス画面を識別する識別信号が付加された映像信号を記録媒体から読み出し、再生処理手段が映像信号に再生処理を施し、映像制御手段が再生処理出力中の識別信号を用いてインデックス画面の表示を制御する。
【００１４】
本発明に係る映像記録再生方法は、上記課題を解決するために、入力された映像信号に対応するインデックス画面を生成し、このインデックス画面を識別するための識別信号を上記インデックス画面を含んだ上記映像信号に付加すると共に記録処理を施して記録媒体に書き込み、この記録媒体から上記識別信号が付加された映像信号を読み出し、再生処理を施してから上記識別信号を用いて上記インデックス画面を表示する。
【発明の効果】
【００１５】
本発明によれば、インデックス画面と通常の映像を同一画面上に表示することにより、現在の映像に対する前後関係が一目瞭然となり、検索性を向上できる。
【００１６】
本発明によれば、記録時にインデックス画面を生成することにより、再生時のインデックス画面表示に費やす時間を短縮できる。
【発明を実施するための最良の形態】
【００１７】
以下、本発明に係る映像記録装置及び再生装置並びに映像記録再生方法の実施の形態について図面を参照しながら説明する。
【００１８】
この実施の形態は、図１に示すように、映像信号入力を記録信号処理及び検出制御系２を介して書き込み読み出し手段となる例えばハードディスクドライブ（ＨＤＤ）３に書き込ませる共に、このＨＤＤ３から読み出された映像信号を再生信号処理及び検出制御系６を介して出力する映像信号記録再生装置１である。
【００１９】
具体的に、この映像信号記録再生装置１は、記録信号処理及び検出制御系２とＨＤＤ３と記録制御信号入力系４とシステムコントローラ５とからなる記録装置と、ＨＤＤ３とシステムコントローラ５と再生信号処理及び検出制御系６と再生制御信号入力系７とからなる再生装置とを備えてなる。
【００２０】
また、この映像信号記録再生装置１は、同一画面上に複数の映像をいわゆるマルチ画面を形成するように表示する第１の機能と、記録装置での記録時にインデックス画面を生成する第２の機能と、再生装置での再生時に映像信号の内容を示すインデックス画面を生成して通常の映像信号と同一画面に表示する第３の機能とを有している。
【００２１】
以下、上記第１の機能を実現する映像信号記録再生装置１を第１実施例とし、上記第２の機能を実現する映像信号記録再生装置１を第２実施例とし、上記第３の機能を実現する映像信号記録再生装置１の再生装置を第３実施例として説明する。
【００２２】
先ず、第１実施例の映像信号記録装置１について以下に説明する。この映像信号記録装置１に供給される映像信号入力は、記録信号処理及び検出制御系２にて各種信号処理が施され、上記ＨＤＤ３に書き込まれる。ここで、記録媒体としては、ＨＤＤの他に、コンパクトディスクドライブ、光磁気ディスクドライブ、半導体メモリドライブ等を用いても良い。
【００２３】
記録信号処理及び検出制御系２では、各種信号処理を施した後、これらの信号に各種検出処理及び制御処理を施し、制御信号をシステムコントローラ５に供給する。
【００２４】
システムコントローラ５は、記録制御信号入力系４と上記記録信号処理及び検出制御系２から供給される制御信号に基づいてＨＤＤ３の記録制御を行うと共に、上記記録信号処理及び検出制御系２の各信号処理及び各制御処理を制御する。
【００２５】
再生時、システムコントローラ５は、再生制御信号入力系７と上記再生信号処理及び検出制御系６から供給される制御信号に基づいて、ＨＤＤ３の再生制御を行うと共に、上記再生信号及び検出制御系６の各信号処理及び各制御処理を制御する。
【００２６】
ＨＤＤ３から読み出された信号は再生信号処理及び検出制御系６にて、各種信号処理を施され、映像信号出力となる。また、再生信号処理及び検出制御系６は、再生信号処理が施された信号に基づいて各種検出処理を行い、制御信号をシステムコントローラ５に供給する。
【００２７】
この第１実施例の映像信号記録再生装置１では、複数の映像信号に対して、記録信号処理及び検出制御系２にて、各映像信号に対応した識別信号を生成し、映像信号に付加してからＨＤＤ３に供給して書き込ませている。
【００２８】
再生時は、各映像信号に付加された識別信号を再生信号処理及び検出制御系６にて検出し、システムコントローラ５の制御を行うと共に、再生信号処理及び検出制御系６の内部のメモリを制御しマルチ画面として表示する。
【００２９】
記録信号処理及び検出制御系２の詳細な構成と動作について図２を用いて説明する。この図２は、特に記録装置側の構成を示したものである。
【００３０】
映像信号入力としては、映像信号処理系９で処理される映像信号入力、カメラ信号処理系１０で処理されるカメラ系入力、チューナー系（映像系）１１で処理されるアンテナ系入力がある。また後述する映像信号検出制御系１４で切り換えられるディジタル映像入力系もある。各処理系９，１０及び１１で各種映像処理が施された各入力は、映像信号切り換え系１２にて切り換えられる。
【００３１】
映像信号切り換え系１２は、システムコントローラ５により記録制御信号入力系４から得た情報に基づいて切り換え制御され、所望の映像信号を選択して映像信号Ａ／Ｄ変換系１３に供給する。
【００３２】
映像信号Ａ／Ｄ変換器１３にてＡ／Ｄ変換を施されて得られたディジタル映像信号は、映像信号検出制御系１４に供給される。
【００３３】
映像信号検出制御系１４は、映像信号Ａ／Ｄ変換器１３からのディジタル映像信号と上記ディジタル映像入力系のディジタル映像信号とをシステムコントローラ５の制御により切り換え選択し、選択したディジタル映像信号に対応した映像識別信号を生成する。複数Ｎ種類のディジタル映像信号を切り換え選択した場合は、これらのＮ種類のディジタル映像信号に対するＮ個の識別信号を生成する。
【００３４】
ここでいうＮ種類のディジタル映像信号とは、図３に示すように、例えばチューナー系１１を介したアンテナ系入力からの放送Ａと放送Ｂによる映像信号、また例えば、カメラ信号処理系１０を介したカメラ系入力からのカメラ系入力による映像信号をディジタル映像信号としたものである。
【００３５】
そして、映像信号検出制御系１４は、映像信号切り換え系１２で切り換えられた上記３種類のディジタル映像信号「放送Ａ］，「カメラ」及び「放送Ｂ」に対する３個の映像識別信号、「１」，「２」及び「３」を生成し、映像信号の付加情報として図中破線で示すように記録データ処理系１６に供給すると共に上記ディジタル映像信号を映像信号帯域圧縮処理系１５に供給する。
【００３６】
映像信号帯域圧縮処理系１５は、上記ディジタル映像信号に対してＭＰＥＧやＪＰＥＧといった帯域圧縮処理を施し、データ量を減らした後、記録データ処理系１６に供給する。
【００３７】
記録データ処理系１６では、映像信号検出制御系１４からのＮ個の映像識別信号を上記Ｎ種類のディジタル映像信号に付加してＨＤＤ３に供給する。例えば、上記図３に示したような具体例の場合、３個の映像識別信号［１］，「２」及び「３」を３種類の圧縮ディジタル映像信号「放送Ａ］，「カメラ」及び「放送Ｂ」に付加する。実際には、記録フォーマットに合わせ、例えばデータの並び換えを行ってから、上記映像識別信号を含めた各種ＩＤの付加、ＥＦＭ変調等を行ってＨＤＤ３に送る。
【００３８】
上記図３を用いてこの記録データ処理系１６が行う映像識別信号のディジタル映像信号への付加処理を説明する。この記録データ処理系１６へは上述したように映像信号切り換え系１２で切り換えられた「放送Ａ」，「カメラ」及び「放送Ｂ」の映像信号がディジタル映像信号とされてから供給される。この場合、上記３種の映像信号は、例えば１フィールド単位で時分割されるように切り換えられる。
【００３９】
そして、映像信号検出制御系１４で生成された上記３個の映像識別信号［１］，「２」及び「３」を、時分割された上記３種類のディジタル映像信号「放送Ａ」，「カメラ」及び「放送Ｂ」の例えば先頭に付加する。
【００４０】
図４には、映像識別信号の付加された１フィールド分のディジタル映像信号のフォーマットを示す。映像識別信号は、「フィールト゛No」，「Next」，「Prev」と共に制御信号を構成している。この制御信号と映像信号（本編）とで１パック（＝フィールド）分とされる。
【００４１】
映像識別信号には４ビットが割り当てられ、“００００”〜“１１１０”までの１５個まで表せ、１５種類の映像信号に対応できる。また、「フィールト゛No」には３バイトが割り当てられ、現フィールドの番号が書き込まれる。
【００４２】
「Next」には２バイトが割り当てられ、次のフィールドが存在するアドレス番号が書き込まれ、通常再生時に使用される。また、「Prev」には２バイトが割り当てられ、前のフィールドが存在するアドレスが書き込まれ、逆転再生時に使用される。
【００４３】
記録データ処理系１６が上記映像識別信号を上記ディジタル映像信号に付加して記録する方法としてはディジタル映像信号に含めて記録する方法と、ディジタル映像信号とは別エリアに記録する方法と、ディジタル映像信号とは別の記録媒体に記録する方法などを用いてもよい。
【００４４】
また、ディジタル映像信号のみについても、映像信号検出制御系１４の出力を連続で記録する方法と、映像の種類別に別エリアに記録する方法と、映像の種類別に別の記録媒体に記録する方法等がある。
【００４５】
次に、再生信号処理及び検出制御系６の詳細な構成と動作について図５を用いて説明する。この図５は特に、再生装置側の構成を示す。
【００４６】
ＨＤＤ３に記録された上記図４に示したフォーマットの映像識別信号とディジタル映像信号は、システムコントローラ５の制御により読み出される。読み出されたデータは、再生データ処理系１７に供給される。
【００４７】
再生データ処理系１７は、上記データから上記Ｎ個の映像識別信号を分離して、この映像識別信号を図中破線で示すように映像信号検出制御系１９に供給すると共にディジタル映像信号を映像信号帯域伸張処理系１８に供給する。実際には、再生フォーマットに従い、例えばＥＦＭ復調、エラー訂正、データの並べ換え等の処理も施す。
【００４８】
映像信号帯域伸張処理系１８では、上記ディジタル映像信号にＭＰＥＧ，ＪＰＥＧ等の伸張処理を施し、記録装置側で圧縮されたデータを伸張してから、映像信号検出制御系１９に供給する。
【００４９】
映像信号検出制御系１９では、再生データ処理系１７から供給された上記映像識別信号に基づいて内部のメモリを制御し、上記Ｎ種類の映像信号を一つの画面上に分割表示するための分割映像信号、すなわちマルチ画面を生成するディジタル映像出力を得て、映像信号Ｄ／Ａ変換系２０に供給する。
【００５０】
映像信号Ｄ／Ａ変換器２０にてＤ／Ａ変換を施されたマルチ画面用映像信号は、映像信号出力系２１に供給され、クロマエンコード等の映像処理が施された後、映像信号出力として導出される。
【００５１】
映像信号検出制御系１９で上記マルチ画面用映像信号を生成する処理の概略を図６を用いて以下に説明する。
【００５２】
この図６において、映像信号帯域伸張系出力は、映像信号帯域伸張処理系１８からの出力であり、映像識別信号は再生データ処理系１７から破線で示す経路で供給されてきた映像識別信号を示す。また、メモリ１、メモリ２、メモリ３は映像信号検出制御系１９内部に存在するフィールドメモリであり、このフィールドメモリについては後述する。
【００５３】
映像信号帯域伸張系出力は図に示すように、「放送Ａ」，「カメラ」及び「放送Ｂ」が例えば１フィールド単位で時分割に切り換えられて出力されるものである。
【００５４】
再生データ処理系１７は、上記各ディジタル映像信号に対応した映像識別信号［１］，「２」及び「３」を映像信号検出制御系１９に供給する。
【００５５】
メモリ１は映像識別信号「１」に従ってライトイネーブルＷＥを制御する。ここでライトイネーブルＷＥはLowで書き込み処理を命じる。すなわち、映像識別信号「１」を検出したら、１フィールドの間、メモリ１ＷＥをLowにすることにより、メモリ１にはメモリ１ライトに示すように放送Ａ１の映像信号がフリーズされる。同様に放送Ａ２、放送Ａ３・・・のように、映像識別信号「１」がある映像のみをフリーズする。結果として、メモリ１の出力は、メモリ１リードに示すように放送Ａのみとなる。
【００５６】
メモリ２は映像識別信号「２」に従ってライトイネーブルＷＥを制御する。すなわち、映像識別信号「２」を検出したら、１フィールドの間、メモリ２ＷＥをLowにすることにより、メモリ２にはメモリ２ライトに示すようにカメラの映像信号がフリーズされる。同様にカメラ２、カメラ３・・・のように、映像識別信号「２」がある映像のみをフリーズする。結果として、メモリ２の出力は、メモリ２リードに示すようにカメラのみとなる。
【００５７】
メモリ３は映像識別信号「３」に従ってライトイネーブルＷＥを制御する。すなわち、映像識別信号「３」を検出したら、１フィールドの間、メモリ３ＷＥをLowにすることにより、メモリ３にはメモリ３ライトに示すように放送Ｂの映信号がフリーズされる。同様に放送Ｂ２、放送Ｂ３・・・のように、映像識別信号「３」がある映像のみをフリーズする。結果として、メモリ３の出力は、メモリ３リードに示すように放送Ｂのみとなる。
【００５８】
このように、３つに分割した映像信号を、後述する縮小回路にてそれぞれ縮小することにより、図７に示すように同一画面にマルチ画面表示することができる。ここでは、３種類の映像信号についてのマルチ画面表示を示したが、任意の数Ｎの映像信号に対応可能にできることはもちろんである。
【００５９】
この図７に示したマルチ画面表示を実現する映像信号検出制御系１９内部の構成例を図８に示す。
【００６０】
この図８において、映像信号入力は、フィールドメモリ２２、フィールドメモリ２３、フィールドメモリ２４に入力される。
【００６１】
一方、映像識別信号に基づいて、メモリコントローラ２５は、フィールドメモリ２２、フィールドメモリ２３、フィールドメモリ２４のフリーズ制御を行う。
【００６２】
フィールドメモリ２２の出力は縮小回路２６に、フィールドメモリ２３の出力は縮小回路２７に、フィールドメモリ２４の出力は縮小回路２８に、それぞれ供給され、縮小処理が施される。ここでの、各縮小サイズ、表示位置については、再生制御信号入力系７に基づき、システムコントローラ５からそれぞれの縮小回路に与えられる。
【００６３】
縮小された各映像信号は合成回路２９で合成処理が施され、一系統の映像信号として出力される。この一系統の映像信号は、同一画面に表示されるので、ユーザは例えば３つの映像を同時に楽しむことができ、また３つの映像内容を同時に確認できる。
【００６４】
ここでは、３つの映像信号について説明したが、フィールドメモリ、縮小回路の数を変えることにより任意の数Ｎの映像信号に対応できる。
【００６５】
なお、この第１実施例では、複数の映像信号の記録再生を行う場合について説明したが予め複数の映像信号と各映像信号の識別信号が記録してある媒体を再生する映像信号再生装置でも応用可能である。
【００６６】
次に、記録装置での記録時にインデックス画面を生成する上記第２の機能を実現する第２実施例について以下に説明する。
【００６７】
この第２実施例は上記第１実施例と同様に、上記図１に示した映像信号記録再生装置１であるが、記録装置側の記録信号処理及び検出制御系２にてインデックス画面の生成を行い、またこのインデックス画面を識別するための映像識別信号を映像信号に付加してＨＤＤ３に書き込ませる。
【００６８】
また、再生時には、上記インデックス画面を識別する映像識別信号を再生信号処理及び検出制御系６にて検出し、システムコントローラ５の制御を行うとともに、再生信号処理及び検出制御系６の内部のメモリを制御してインデックス画面を表示させる。
【００６９】
記録信号処理及び検出制御系２の詳細な構成を図２に示す。この図２は、記録装置側の構成を示したものである。すなわち構成としては、上記第１実施例の映像信号記録再生装置１の記録装置側と同一である。異なるのは、映像信号検出制御系１４の動作である。
【００７０】
映像信号検出制御系１４では、映像信号からインデックス画面を生成し、映像信号と共に映像信号帯域圧縮処理系１５に供給する。また、映像信号検出制御系１４では、上記インデックス画面を識別するための映像識別信号を生成し、図中破線で示すように記録データ処理系１６に供給する。
【００７１】
映像信号帯域圧縮処理系１５では、インデックス画面の信号を含んだ映像信号に対してＭＰＥＧやＪＰＥＧといった帯域圧縮処理を施し、データ量を減らした後、記録データ処理系１６に供給する。
【００７２】
記録データ処理系１６では、映像信号検出制御系１４からの上記映像識別信号を上記インデックス画面を含んだ上記映像信号に付加すると共に記録処理を施してＨＤＤ３に供給する。
【００７３】
図９には、上記インデックス画面を識別する識別信号（ここではインデックス識別情報という）が付加された１フィールド分のディジタル映像信号のフォーマットを示す。インデックス識別情報は、「フィールト゛No」，「Next」，「Prev」と共に制御信号を構成している。この制御信号と映像信号（本編）とで１パック（＝フィールド）分とされる。
【００７４】
インデックス識別情報には、インデックス画面であることを示すフラグとして、“１１１１”尾が割り当てられる。
【００７５】
また、「フィールト゛No」には３バイトが割り当てられ、現フィールドの番号が書き込まれる。
【００７６】
また、「Next」には２バイトが割り当てられ、＋１から＋６５５３６画面先のインデックス画面の存在するアドレスが書き込まれている。例えば、６つの異なるプログラムの内容を示す、インデックス画面を記録時に毎フィールド生成したとき、１倍インデックス再生モードでは、常に＋１のアドレスに飛ぶ様に読み出し制御を行う。また３０倍インデックス再生モードでは常に＋３０のアドレスを飛ぶことにより、所望の間隔のインデックス画面を即座に表示することができる。
【００７７】
また、「Prev」には２バイトが割り当てられ、−１から−６５５３６画面先のインデックス画面の存在するアドレスが書き込まれている。例えば、６つの異なるプログラムの内容を示す、インデックス画面を記録時に毎フィールド生成したとき、逆１倍インデックス再生モードでは、常に−１のアドレスに飛ぶことにより、所望の間隔のインデックス画面を即座に表示することができる。
【００７８】
映像信号検出制御系１４の内部構成を図１０に示す。映像信号入力は、縮小回路３０、コマーシャル（ＣＭ）検出回路３２に供給されると共にそのまま映像信号出力となる。
【００７９】
縮小回路３０では、インデックス画面生成のため映像信号に縮小処理を施し、フィールドメモリ３１に供給する。
【００８０】
記録制御信号入力系４の情報に基づいて、システムコントローラ５は、メモリコントローラ２５にインデックス画面の間隔情報を供給する。
【００８１】
メモリコントローラ２５では、この情報に基づいて、フィールドメモリ３１のアドレス制御及びフリーズの制御を行う。
【００８２】
ここで、インデックス画面の間隔情報について説明する。例えば１０分に一枚の画をインデックス画面として使用させるための情報であり、メモリコントローラ２５はこの間隔情報に応じて１０分に１回、映像信号のフリーズを行う。但し、コマーシャルなど、検索用途に適さない映像をフリーズするのを防ぐため、ＣＭ検出回路３２でＣＭを検出した場合、メモリコントローラ２５を制御し、ＣＭ後の映像をフリーズする。このようにしてフィールドメモリ３１の出力としてインデックス画面出力を得る。
【００８３】
メモリコントローラ２５は、インデックス画面がフィールドメモリ３１から出力されるタイミングに合わせてインデックス画面を識別する映像識別信号、すなわち上記インデックス識別情報を出力する。そして、このインデックス画面出力と、映像識別信号を受け取った再生装置側では、例えば図１１に示すようなインデックス画面を表示する。
【００８４】
図１１に示したインデックス画面では、６つの異なる映像信号、放送Ａ，放送Ｂ，放送Ｃ、放送Ｄ、放送Ｅ、放送Ｆを縮小し、同一画面上に表示している。
【００８５】
インデック画面の記録エリアについては映像信号と同じエリアに記録する映像信号とは別エリアに記録する方法と、映像信号とは別の記録媒体に記録する方法等がある。
【００８６】
インデックス画面であることを示す映像識別信号の記録エリアについては、インデックス画面信号に含めて記録する方法と、インデックス画面信号とは別エリアに記録する方法と、インデックス画面信号とは別の記録媒体に記録する方法等がある。
【００８７】
図１２は、映像信号検出制御系１４で行うインデックス画面生成処理を説明するための図である。この図１２において、映像信号入力は、例えば放送Ａ，放送Ｂ，放送Ｃ，放送Ｄ，放送Ｅ、放送Ｆの６つの異なる映像信号が、例えば１フィールド単位で構成される。
【００８８】
最初に放送Ａ１，放送Ｂ１，放送Ｃ１，放送Ｄ１，放送Ｅ１、放送Ｆ１から、インデックス１に示すようなインデックス画面を生成し、インデックス１として出力すると共に、インデックス画面識別用の映像識別信号「１」を出力する。
【００８９】
次に、例えばインデックス画面の間隔を１０分とし、放送Ａ１から１０分後の映像信号を放送Ａｎとしたとき、放送Ａｎ，放送Ｂｎ、放送Ｃｎ，放送Ｄｎ、放送Ｅｎ、放送Ｆｎから、インデックスｎに示すようなインデックス画面を生成し、インデックスｎとして出力すると共に、インデックス画面識別用の映像識別信号［ｎ］を出力する。
【００９０】
このような動作を繰り返すことにより、映像を検索するためのインデックス画面及びインデックス画面用の映像識別信号を生成することができる。
【００９１】
次に、インデックス画面の再生について説明する。インデックス画面の再生には２通りの方法がある。一つはインデックス画面のみを表示する方法、もう一つはインデックス画面と各映像信号を同一画面上に表示する方法である。
【００９２】
インデックス画面のみ表示する場合は、図５に示すＨＤＤ３が読み出した映像信号に、再生データ処理系１７が再生処理を施した後、映像信号検出制御系１９がインデックス画面を示す映像識別信号に基づいて映像信号帯域伸張処理系１８を介した映像信号からインデックス画面のみを読み出す。そして、映像信号Ｄ／Ａ変換系２０、映像信号出力処理系２１を介してインデックス画面用の映像信号を出力する。
【００９３】
インデックス画面と各映像信号を同一画面上に表示する場合は、ＨＤＤ３からインデックス画面出力と各映像信号を交互に読み出し、インデックス画面と各映像信号が一系統となった映像信号出力を得る。
【００９４】
なお、この第２実施例では、インデックス画面の記録再生を行う場合について説明したが予めインデックス画面との識別信号が記録してある記録媒体を再生する映像信号再生装置でも応用可能である。
【００９５】
次に、再生装置での再生時にインデックス画面を生成して通常の映像信号と同一画面に表示する第３の機能を実現する第３実施例について以下に説明する。
【００９６】
この第３実施例は、図１に示した上記第１実施例及び第２実施例の映像信号記録再生装置１の再生装置側の構成と同様な映像信号再生装置であるが、再生信号処理及び検出制御系６で内部のメモリを制御し、インデックス画面を生成し、通常の映像信号と合成して、ディジタル映像出力を得る。
【００９７】
再生信号処理及び検出制御系６の詳細な構成について図５を用いて説明する。
【００９８】
この図５において、再生制御信号入力系７は通常再生もしくはインデックス画面再生かのモード情報を、システムコントローラ５に供給する。
【００９９】
システムコントローラ５ではそのモードに従ってＨＤＤ３に対して読み出し制御を行う。これにより、ＨＤＤ３からはモードに基づいた映像信号が読み出される。この映像信号出力は、再生データ処理系１７に供給される。
【０１００】
再生データ処理系１７は、上記映像信号出力からインデックス画面に関する映像識別信号を分離して、この映像識別信号を図中破線で示すように映像信号検出制御系１９に供給すると共に映像信号を映像信号帯域伸張処理系１８に供給する。実際には、再生フォーマットに従い、例えばＥＦＭ復調、エラー訂正、データの並べ換え等の処理も施す。
【０１０１】
映像信号帯域伸張系１８では、上記映像信号にＭＰＥＧ，ＪＰＥＧ等の伸張処理を施し、記録装置側で圧縮された信号を伸張してから、映像信号検出制御系１９に供給する。
【０１０２】
映像信号検出制御系１９では、再生データ処理系１７から供給された上記インデックス画面用の映像識別信号に基づいて内部のメモリを制御し、インデックス画面を生成し、通常の映像信号と合成してから、ディジタル映像信号出力として導出すると共に、映像信号Ｄ／Ａ変換器２０に供給する。
【０１０３】
映像信号Ｄ／Ａ変換器２０にてＤ／Ａ変換を施された映像信号は、映像信号出力処理系２１にて、クロマエンコード等の処理が施された後、映像信号出力として導出される。
【０１０４】
上記映像信号検出制御系１９の内部構成を図１３に示す。この図１３において、映像信号入力は、フィールドメモリ２２と縮小回路２６を介して合成回路２９に入力される。
【０１０５】
フィールドメモリ２２は、インデックス画面生成用と通常の映像が交互になっている映像信号入力から、通常の映像信号のみをフリーズするよう、メモリコントローラ２５により制御される。
【０１０６】
フィールドメモリ２２にて通常の映像信号のみをフリーズしたのち、縮小回路２６にて縮小処理を施し、合成回路２９に供給する。
【０１０７】
縮小回路２７では、インデックス画面生成のため、映像信号の縮小処理を施し、フィールドメモリ２３に供給する。
【０１０８】
一方、再生制御信号入力系７から供給される情報に基づいて、システムコントローラ５は、メモリコントローラ２５にインデックス画面のアドレス情報等を供給する。
【０１０９】
メモリコントローラ２５では、この情報に基づいて、フィールドメモリ２３のアドレス制御及びフリーズのアドレス制御及びフリーズの制御を行い、インデックス画面を生成する。フィールドメモリ２３にてインデックス画面を生成したのち、合成回路２９に供給する。
【０１１０】
合成回路２９では、システムコントローラ５により、フィールドメモリ２２から縮小回路２６を介して供給される通常の映像信号とフィールドメモリ２３から供給されるインデックス画面とを合成し、映像信号出力を得る。
【０１１１】
図１４を用いて、通常映像信号とインデックス画面生成の合成処理について説明する。
【０１１２】
ここで、放送Ａ５が現在の通常の映像信号とした場合、インデックス画面用として例えば前後４フィールドの映像を使用する場合、放送Ａ５と放送Ａ１及び放送Ａ９がインデックス画面用の信号となり、画面１に示す映像を生成する。
【０１１３】
続いて、放送Ａ６が現在の通常の映像信号とした場合は、放送Ａ６と放送Ａ２及び放送Ａ１０がインデックス画面用の信号となり、画面２に示す映像を生成する。
【０１１４】
続いて、放送Ａ７が現在の通常の映像信号とした場合は、放送Ａ７と放送Ａ３及び放送Ａ１１がインデックス画面用の信号となり、画面３に示す映像を生成する。
【０１１５】
ここで、画面３を表示中に、図１５に示すようなリモートコントローラ（以下、リモコンという。）のダウンキー（DOWN）と決定キーを操作して、インデックス画面中の放送Ａ１１を選択すると、放送Ａ１１を通常の映像信号とした図１４の画面４のような映像を生成することができる。
【０１１６】
このときの動作は、リモコンによりインデックス画面中の放送Ａ１１が選択されたことを再生制御信号入力系７を介して知ったシステムコントローラ５が、ＨＤＤ３の例えばヘッド駆動の制御を行い、主画面を放送Ａ１１となるようにすることにより実現される。このとき、ヘッドのシーク等により、映像信号の不連続が発生するが、それについては、再生データ処理系１７内部のバッファメモリの制御を行うことにより連続した映像信号を得ている。
【０１１７】
なお、リモコンのダウンキーが押された場合、画面３の放送Ａ１１の画面の周りに枠を付加し、選択されていることをユーザに知らせるようにしている。放送Ａ１１に飛びたい場合はこの状態でリモコンの決定ボタンを押すことにより、その情報が再生制御信号入力系７に伝えられる。同様に、放送Ａ３を選択する場合は、リモコンのアップ（ＵＰ）キーで枠を放送Ａ３に移動し、決定キーを押せばよい。
【０１１８】
このように、この第３実施例では、現在の映像信号を連続的に表示することにより、現在の映像に対する前後関係が一目瞭然となり、検索性が向上する。
【０１１９】
なお、この第３実施例では、インデックス画面を、現在とその前後１枚づつの計３枚で構成しているが、現在とその前後２枚づつの計５枚でも、それ以外でも構わない。
【０１２０】
また、現在の映像はインデックス画面に使用しないで、前後の映像だけでインデックス画面を生成しても構わない。
【図面の簡単な説明】
【０１２１】
【図１】本発明に係る映像記録装置及び再生装置並びに映像記録再生方法の実施の形態となる映像信号記録再生装置のブロック図である。
【図２】上記実施の形態の第１実施例となる映像信号記録再生装置の記録装置側のブロック図である。
【図３】上記図２に示した記録装置側の動作を説明するためのタイミングチャートである。
【図４】上記第１実施例で用いられる映像識別信号の付加されたディジタル映像信号のフォーマット図である。
【図５】上記第１実施例となる映像信号記録再生装置の再生装置側のブロック図である。
【図６】上記第１実施例の再生装置側の動作を説明するためのタイミングチャートである。
【図７】上記第１実施例によるマルチ画面表示を示す図である。
【図８】上記第１実施例の再生装置側の映像信号検出制御系の内部構成を示すブロック図である。
【図９】上記実施の形態の第２実施例となる映像信号記録再生装置で用いるインデックス識別情報が付加されたディジタル映像信号のフォーマット図である。
【図１０】上記第２実施例となる映像信号記録再生装置の記録装置側の映像信号検出制御系の内部構成を示すブロック図である。
【図１１】上記第２実施例によるインデックス画面表示を示す図である。
【図１２】上記第２実施例で用いるインデックス画面生成の方法を説明するための図である。
【図１３】上記実施の形態の第３実施例となる映像信号記録再生装置の再生装置側の映像信号検出制御系の内部構成を示すブロック図である。
【図１４】上記第３実施例の動作を説明するための図である。
【図１５】上記第３実施例で行われる画面選択を説明するための図である。
【符号の説明】
【０１２２】
１  映像信号記録再生装置、３  ＨＤＤ、４  記録制御信号入力系、５  システムコントローラ、７  再生制御信号入力系、１４  映像信号検出制御系、１６  記録データ処理系、１７  再生データ処理系、１９  映像信号検出制御系
【図１】
2006129517.tif 000003
【図２】
2006129517.tif 000004
【図３】
2006129517.tif 000005
【図４】
2006129517.tif 000006
【図５】
2006129517.tif 000007
【図６】
2006129517.tif 000008
【図７】
2006129517.tif 000009
【図８】
2006129517.tif 000010
【図９】
2006129517.tif 000011
【図１０】
2006129517.tif 000012
【図１１】
2006129517.tif 000013
【図１２】
2006129517.tif 000014
【図１３】
2006129517.tif 000015
【図１４】
2006129517.tif 000016
【図１５】
2006129517.tif 000017